(57)【要約】【課題】端子の端子収容孔への挿入力が増大することなく、組付性を向上することができるコネクタを提供する。【解決手段】端子収容孔３を有するハウジング５と、端子収容孔３に収容される端子９と、端子収容孔３内に撓み可能に設けられた係止ランス１１とを備えたコネクタ１において、端子９が、正多角形の筒状に形成された接続部１３を有し、接続部１３に、係止ランス１１が係合される被係合部１５を設け、端子９が、接続部１３の外周の少なくともいずれかの平面が端子収容孔３の内壁面に当接することにより端子収容孔３に対する位置決めがなされ、端子収容孔３の開口７を、端子９の接続部１３が回転可能な円形状に形成し、端子収容孔３内の開口７と係止ランス１１との間に、端子９の接続部１３が挿入されたときに、接続部１３の角部１７と当接し接続部１３を回転させる複数の傾斜面１９を挿入方向に向けて螺旋状に設けた。【選択図】図２
2015090830.tif 000002
【特許請求の範囲】
【請求項１】
端子収容孔を有するハウジングと、前記端子収容孔の一端側の開口から挿入されて収容される端子と、前記端子収容孔内に撓み可能に設けられ前記端子を前記端子収容孔に保持させる係止ランスとを備えたコネクタであって、
前記端子は、前記端子収容孔の開口から挿入され正多角形の筒状に形成された接続部を有し、この接続部の前記端子収容孔への挿入方向の後端部の全周には、前記係止ランスが係合される被係合部が設けられ、
前記端子は、前記接続部の外周の少なくともいずれかの平面が前記端子収容孔の内壁面に当接することにより前記端子収容孔に対する位置決めがなされ、
前記端子収容孔の開口は、前記端子の接続部が回転可能な円形状に形成され、前記端子収容孔内の前記開口と前記係止ランスとの間には、前記端子の接続部が挿入されたときに、前記接続部の角部と当接し前記接続部を回転させる複数の傾斜面が挿入方向に向けて螺旋状に設けられていることを特徴とするコネクタ。
【請求項２】
請求項１記載のコネクタであって、
前記係止ランスの近傍に位置する前記傾斜面は、前記端子の接続部の角部と同数設けられていることを特徴とするコネクタ。
【発明の詳細な説明】
【技術分野】
【０００１】
本発明は、コネクタに関する。
【背景技術】
【０００２】
従来、コネクタとしては、端子収容孔を有するハウジングと、端子収容孔の一端側の開口から挿入されて収容される端子と、端子収容孔内に撓み可能に設けられ端子を端子収容孔に保持させる係止ランスとを備えたものが知られている（例えば、特許文献１参照）。
【０００３】
このコネクタでは、端子の接続部が円筒形状に形成され、接続部の端子収容孔への挿入方向の後端部に係止ランスが係合される被係合部が設けられている。この被係合部には、係止ランスの端部と当接して係止ランスの復元力によって接続部を回転させる４つの角部を有する回転方向姿勢制御部が設けられている。
【０００４】
このようなコネクタでは、端子の接続部を端子収容孔の開口から挿入させ、接続部によって係止ランスを撓ませる。この撓まされた係止ランスは、接続部の被係合部に位置すると復元される。
【０００５】
このとき、端子の接続部が端子収容孔に対して正規位置に配置されていない場合には、係止ランスの端部が角部に当接し、係止ランスの復元力によって接続部を回転させ、接続部を端子収容孔の正規位置に配置させる。
【先行技術文献】
【特許文献】
【０００６】
【特許文献１】特開２０１２−６９４６４号公報
【発明の概要】
【発明が解決しようとする課題】
【０００７】
しかしながら、上記特許文献１のようなコネクタでは、係止ランスの復元力によって端子の接続部を回転させて接続部を端子収容孔の正規位置に配置させるので、端子の接続部を回転させるために係止ランスの復元力を大きく設定する必要がある。
【０００８】
このため、端子の接続部を端子収容孔に挿入させる際に、係止ランスを撓ませる力も大きくする必要があり、端子の端子収容孔への挿入力が増大し、組付性が低下していた。
【０００９】
そこで、この発明は、端子の端子収容孔への挿入力が増大することなく、組付性を向上することができるコネクタの提供を目的としている。
【課題を解決するための手段】
【００１０】
請求項１記載の発明は、端子収容孔を有するハウジングと、前記端子収容孔の一端側の開口から挿入されて収容される端子と、前記端子収容孔内に撓み可能に設けられ前記端子を前記端子収容孔に保持させる係止ランスとを備えたコネクタであって、前記端子は、前記端子収容孔の開口から挿入され正多角形の筒状に形成された接続部を有し、この接続部の前記端子収容孔への挿入方向の後端部の全周には、前記係止ランスが係合される被係合部が設けられ、前記端子は、前記接続部の外周の少なくともいずれかの平面が前記端子収容孔の内壁面に当接することにより前記端子収容孔に対する位置決めがなされ、前記端子収容孔の開口は、前記端子の接続部が回転可能な円形状に形成され、前記端子収容孔内の前記開口と前記係止ランスとの間には、前記端子の接続部が挿入されたときに、前記接続部の角部と当接し前記接続部を回転させる複数の傾斜面が挿入方向に向けて螺旋状に設けられていることを特徴とする。
【００１１】
このコネクタでは、端子が、正多角形の筒状に形成された接続部の外周の少なくともいずれかの平面が端子収容孔の内壁面に当接することにより端子収容孔に対する位置決めがなされるので、係止ランスは接続部の端子収容孔への挿入方向の後端部の全周に設けられた被係合部に係合できるだけの復元力を有すればよい。
【００１２】
また、端子収容孔内の開口と係止ランスとの間には、端子の接続部が挿入されたときに、接続部の角部と当接し接続部を回転させる複数の傾斜面が挿入方向に向けて螺旋状に設けられているので、係止ランスが被係合部に係合する前に、端子の接続部を端子収容孔に対して位置決めすることができ、係止ランスの復元力によって接続部を回転させる必要がない。
【００１３】
従って、このようなコネクタでは、係止ランスの復元力が増大することがないので、端子の端子収容孔への挿入力が増大することなく、組付性を向上することができる。
【００１４】
請求項２記載の発明は、請求項１記載のコネクタであって、前記係止ランスの近傍に位置する前記傾斜面は、前記端子の接続部の角部と同数設けられていることを特徴とする。
【００１５】
このコネクタでは、係止ランスの近傍に位置する傾斜面が、端子の接続部の角部と同数設けられているので、端子の接続部が係止ランスに係合される前に、接続部の外周の全ての平面と傾斜面とが当接して接続部の回転を完了させ、端子を端子収容孔に対して確実に位置決めすることができる。
【発明の効果】
【００１６】
本発明によれば、端子の端子収容孔への挿入力が増大することなく、組付性を向上することができるコネクタを提供することができるという効果を奏する。
【図面の簡単な説明】
【００１７】
【図１】本発明の実施の形態に係るコネクタのハウジングに端子を挿入する前の斜視図である。
【図２】本発明の実施の形態に係るコネクタの断面図である。
【図３】（ａ）は本発明の実施の形態に係るコネクタの端子収容孔の挿入口側から見たハウジングの正面図である。（ｂ）は図３（ａ）のＸ−Ｘ断面図である。
【図４】（ａ）は本発明の実施の形態に係るコネクタのハウジングの斜視図である。（ｂ）は本発明の実施の形態に係るコネクタのハウジングの一部を断面とした斜視図である。
【図５】（ａ）〜（ｄ）は本発明の実施の形態に係るコネクタの端子を端子収容孔に収容したときの端子の接続部の配置を示す斜視図である。
【図６】本発明の実施の形態に係るコネクタの端子収容孔に設けられた傾斜面を示す模式図である。
【図７】本発明の実施の形態に係るコネクタの端子収容孔を成形するときに用いる抜き型の斜視図である。
【図８】（ａ）は本発明の実施の形態に係るコネクタのハウジングに端子を挿入する前の斜視図である。（ｂ）は本発明の実施の形態に係るコネクタのハウジングに端子を挿し始めたときの斜視図である。
【図９】（ａ）は本発明の実施の形態に係るコネクタのハウジングに端子を挿入し始めたときの端子収容孔の開口側から見たハウジングの正面図である。（ｂ）は本発明の実施の形態に係るコネクタのハウジングに端子を挿入したときの端子収容孔の開口側から見たハウジングの正面図である。
【発明を実施するための形態】
【００１８】
図１〜図９を用いて本発明の実施の形態に係るコネクタについて説明する。
【００１９】
本実施の形態に係るコネクタ１は、端子収容孔３を有するハウジング５と、端子収容孔３の一端側の開口７から挿入されて収容される端子９と、端子収容孔３内に撓み可能に設けられ端子９を端子収容孔３に保持させる係止ランス１１とを備えている。
【００２０】
また、端子９は、端子収容孔３の開口７から挿入され正多角形の筒状に形成された接続部１３を有し、この接続部１３の端子収容孔３への挿入方向の後端部の全周には、係止ランス１１が係合される被係合部１５が設けられている。
【００２１】
さらに、端子９は、接続部１３の外周の少なくともいずれかの平面が端子収容孔３の内壁面に当接することにより端子収容孔３に対する位置決めがなされる。
【００２２】
そして、端子収容孔３の開口７は、端子９の接続部１３が回転可能な円形状に形成され、端子収容孔３内の開口７と係止ランス１１との間には、端子９の接続部１３が挿入されたときに、接続部１３の角部１７と当接し接続部１３を回転させる複数の傾斜面１９が挿入方向に向けて螺旋状に設けられている。
【００２３】
また、係止ランス１１の近傍に位置する傾斜面１９は、端子９の接続部１３の角部１７と同数設けられている。
【００２４】
図１〜図９に示すように、ハウジング５は、合成樹脂などの絶縁性材料からなり、筐体状に形成され、内部に端子収容孔３が設けられている。
【００２５】
端子収容孔３は、ハウジング５の長さ方向に沿って設けられ、一端側が端子９の接続部１３を内部に挿入可能な開口７となっており、他端側が相手ハウジング（不図示）に収容された相手端子（不図示）のタブ状の接続部を挿入可能な挿入口２１となっている。
【００２６】
この端子収容孔３の開口７は、端子９の接続部１３が回転可能なように端子収容孔３の挿入口２１側の内径より大径の円形状に形成されてる。この開口７には、端子９の接続部１３が挿入され、端子９の接続部１３が端子収容孔３内に収容される。
【００２７】
端子９は、導電性材料からなり、正四角形状の筒状に形成された接続部１３を有する雌型端子となっている。また、端子９は、電源や機器などに接続された電線２３の端末部に圧着部２５が圧着されて電気的に接続されている。
【００２８】
この端子９の接続部１３には、一対の弾性片２７，２７が設けられている。一対の弾性片２７，２７は、基端側が接続部１３の壁部から連続する一部材で形成され、自由端側が接続部１３内に向けて折り曲げ形成され、接続部１３内で撓み可能に対向して設けられている。この一対の弾性片２７，２７の自由端側の対向部は、相手端子のタブ状の接続部に接触する接点部となっている。
【００２９】
このような端子９の接続部１３には、ハウジング５が相手ハウジングと嵌合することにより、端子収容孔３の挿入口２１から挿入される相手端子のタブ状の接続部が挿入され、一対の弾性片２７，２７の接点部がタブ状の接続部に接触することにより、端子９と相手端子とが電気的に接続される。
【００３０】
ここで、相手端子のタブ状の接続部は、円柱形状、或いは正四角形の角柱形状に形成されている。このため、端子９の正四角形の筒状の接続部１３は、図５に示すように、外周の少なくともいずれかの平面が端子収容孔３の内壁面（ここでは、鉛直方向となる下面）と当接された状態で、端子収容孔３内に収容されていれば、一対の弾性片２７，２７と相手端子のタブ状の接続部とを正常に接触させることができる。
【００３１】
従って、端子９は、接続部１３の外周の少なくともいずれかの平面が端子収容孔３の内壁面に当接することにより端子収容孔３に対する位置決めがなされる。
【００３２】
この端子９の接続部１３の端子収容孔３への挿入方向の後端部は、接続部１３の外径より小径に形成された小径部となっており、小径部に位置する接続部１３の後端面の全周は被係合部１５となっている。この被係合部１５には、端子収容孔３内に設けられた係止ランス１１が係合され、端子収容孔３からの端子９の抜け止めがなされている。
【００３３】
係止ランス１１は、基端側が端子収容孔３の下側の内壁から連続する一部材で形成され、自由端側が端子収容孔３の上側の内壁に向けて延設され、端子収容孔３内で高さ方向に撓み可能に設けられている。この係止ランス１１の自由端側には、端子９の接続部１３の被係合部１５に係合される係合部２９が突設されている。
【００３４】
この係止ランス１１は、端子収容孔３の開口７から挿入される端子９の接続部１３と当接することにより下方に向けて撓まされ、接続部１３の被係合部１５が係合部２９に位置することにより上方に向けて復元され、係合部２９が接続部１３の被係合部１５に係合して端子９の端子収容孔３からの抜けを防止する。
【００３５】
このようなコネクタ１において、端子収容孔３の開口７が、端子９の接続部１３と同様に、正四角形状であると、端子９を端子収容孔３に挿入する際に、端子収容孔３の開口７と端子９の接続部１３との位置合わせを行わなければならず、組付性が低下してしまう。
【００３６】
そこで、コネクタ１では、端子収容孔３の開口７が端子９の接続部１３が回転可能なように端子収容孔３の挿入口２１側の内径より大径の円形状に形成されてる。このため、端子９を端子収容孔３に挿入する際に、端子収容孔３の開口７と端子９の接続部１３との位置合わせを行う必要がなく、組付性を向上することができる。
【００３７】
このような開口７と係止ランス１１との間に位置する端子収容孔３内には、複数の傾斜面１９が設けられている。この各傾斜面１９は、開口７側から端子収容孔３の内部側に向けて縮径されるように傾斜されており、各傾斜面１９が端子収容孔３内に端子９の端子収容孔３への挿入方向に向けて、図６の矢印で示すように、螺旋状に配列されている。
【００３８】
この複数の傾斜面１９のうち係止ランス１１の近傍に位置する傾斜面１９は、端子９の接続部１３の角部１７と同数（ここでは、角部１７が４つであるので、４面）となるように設定され、各傾斜面１９の端子収容孔３の内部側の端部が端子収容孔３の形状（ここでは正四角形状）となるように配置されている。なお、複数の傾斜面１９は、ハウジング５の成形時に用いられる、図７に示すような端子収容孔３の抜き型３１によって形成される。
【００３９】
このような複数の傾斜面１９は、端子収容孔３の開口７から端子９の接続部１３が挿入されたときに、図９（ａ）に示すように、接続部１３の角部１７と当接し、図９（ｂ）の矢印で示すように、接続部１３を回転させる。
【００４０】
そして、係止ランス１１の近傍に位置する傾斜面１９は、端子９の接続部１３の角部１７と同数に設定されているので、図５に示すうちのいずれかの端子９の接続部１３の配置となって端子収容孔３に挿入され、係止ランス１１の係合部２９が接続部１３の被係合部１５に係合される。
【００４１】
このように端子収容孔３内に複数の傾斜面１９を設けることにより、位置合わせすることなく開口７から挿入された端子９の接続部１３を端子収容孔３に対して位置合わせすることができ、端子９と相手端子との接続信頼性を確保しつつ、組付性を向上することができる。
【００４２】
このようなコネクタ１では、端子９が、正四角形の筒状に形成された接続部１３の外周の少なくともいずれかの平面が端子収容孔３の内壁面に当接することにより端子収容孔３に対する位置決めがなされるので、係止ランス１１は接続部１３の端子収容孔３への挿入方向の後端部の全周に設けられた被係合部１５に係合できるだけの復元力を有すればよい。
【００４３】
また、端子収容孔３内の開口７と係止ランス１１との間には、端子９の接続部１３が挿入されたときに、接続部１３の角部１７と当接し接続部１３を回転させる複数の傾斜面１９が挿入方向に向けて螺旋状に設けられているので、係止ランス１１が被係合部１５に係合する前に、端子９の接続部１３を端子収容孔３に対して位置決めすることができ、係止ランス１１の復元力によって接続部１３を回転させる必要がない。
【００４４】
従って、このようなコネクタ１では、係止ランス１１の復元力が増大することがないので、端子９の端子収容孔３への挿入力が増大することなく、組付性を向上することができる。
【００４５】
また、係止ランス１１の近傍に位置する傾斜面１９は、端子９の接続部１３の角部１７と同数設けられているので、端子９の接続部１３が係止ランス１１に係合される前に、接続部１３の外周の全ての平面と傾斜面１９とが当接して接続部１３の回転を完了させ、端子９を端子収容孔３に対して確実に位置決めすることができる。
【００４６】
なお、本発明の実施の形態に係るコネクタでは、端子の接続部が正四角形状となっているが、これに限らず、端子の接続部を四角形以上の正多角形状としてもよい。
【００４７】
また、端子収容孔の開口は、円形状としているが、端子の接続部が回転可能であればよく、本発明における円形状とは、真円状や多角形状の円形状などを含むものである。
【００４８】
さらに、本発明の実施の形態に係るコネクタでは、１つのハウジングに対して１つの端子収容孔が設けられた構造を例示しているが、１つのハウジングに対して複数の端子収容孔が設けられていてもよい。
【００４９】
このような多極化されたコネクタでは、本発明を適用することで、全ての端子収容孔に対して端子の挿入力が増大することがなく、大幅に組付性を向上することができる。
【符号の説明】
【００５０】
１…コネクタ
３…端子収容孔
５…ハウジング
７…開口
９…端子
１１…係止ランス
１３…接続部
１５…被係合部
１７…角部
１９…傾斜面
【図１】
2015090830.tif 000003
【図２】
2015090830.tif 000004
【図３】
2015090830.tif 000005
【図４】
2015090830.tif 000006
【図５】
2015090830.tif 000007
【図６】
2015090830.tif 000008
【図７】
2015090830.tif 000009
【図８】
2015090830.tif 000010
【図９】
2015090830.tif 000011